(57)【要約】【課題】  収納ボックス形式で縦板材を左右方向に可変することができ、更に、横板材も上下方向に可変することができると共に、壁に固定することができる棚の提供。【解決手段】  縦板材２と、横板材３と、を格子状に組み合わせて設ける棚１において、縦板材２は正面から所定の間隔で切り込んだ縦板材切込み部２ａを有し、縦板材切込み部に横板材３を差し込んで固定したもので、縦板材２を左右方向に可変することができ、更に、横板材３も上下方向に可変することができ、自由なレイアウトができるようにしたものである。【選択図】図１
2005334005.tif 000002
【特許請求の範囲】
【請求項１】
縦板材と、横板材と、を格子状に組み合わせて設ける棚において、前記縦板材は正面から所定の間隔で切り込んだ縦板材切込み部を有し、該縦板材切込み部に前記横板材を差し込んで固定してなる棚。
【請求項２】
前記縦板材を壁に固定するために略Ｕ字状の長尺物である縦板材固定具を有してなること特徴とする請求項１記載の棚。
【請求項３】
縦板材補強部材を有し、該縦板材補強部材は、前記横板材が差し込まれていない前記縦板材切込み部に嵌め込んでなること特徴とする請求項１または請求項２のいずれかに記載の棚。
【請求項４】
前記横板材は背面側から所定の間隔で切り込んだ横板材切込み部を有し、該横板材切込み部は、前記縦板材切込み部と嵌合させることを特徴とする請求項１乃至請求項３のいずれかに記載の棚。
【発明の詳細な説明】
【技術分野】
【０００１】
本発明は、収納ボックス形式の棚に関するものである。
【背景技術】
【０００２】
従来、壁面等に取付け固定する棚ではないが、紙製の陳列棚としては、特開２００１−２７５８０６号公報に示すものがある。この陳列棚１０１は、図４に示すように、縦長矩形の背板１０６の両側に延設した側板１０７を正面へ直角に折り出して枠壁１０４を形成し、棚板１０３は、外面であるカバー層１０９と芯板１０２とで構成し、カバー層１０９の中央を額縁折して天地方向で二重構造に成った隙間に芯板１０２を挟み込んで補強する事で棚板１０３の正面縁は額縁折形状（二本の平行な山折線を入れる事で厚みのある袋折にする折り曲げ構造）と成り、棚板１０３の横幅は背板１０６の横幅よりも突出片１１０分だけ広く、前切込１０５に側切込１１１を差し込む事で棚板１０３は固定され、棚板１０３の側縁背部領域に三角形状の突起１１２を突出させ、前記突起１１２が固定穴１０８に引っ掛って前切込１０５への差し込みが抜けるのを防止し、棚板１０３の背縁からは凸縁１１３を突出させ、凸縁１１３は背板１１６に打ち抜かれた背穴１３に差し込まれて棚板１０２が折れ曲るのを防止し、背板１０６の天額縁折領域を部分的に切り込んで天溝１１５を形成したものである。すなわち、この陳列棚１０１は、両側を正面に折り出してコ字状に形成した枠壁１０４の正面から切り込んだ前切込１０５に、正面を二本の平行な山折線を入れる事で厚みのある袋折にする折り曲げ構造にして、芯板１０２を挟みこんで補強した棚板１０３を正面から差し込んで固定したものである。また、この陳列棚１０１は、棚板１０３を取付け易く、側板１０７を必ずしも二重構造にしなくても済む陳列棚であり、縦板材と、横板材と、を格子状に組み合わせて構成する棚ではなく、更に、壁に固定する棚ではなかった。
【０００３】
ところで、一般的な縦板材と、横板材と、を格子状に組み合わせて設ける収納ボックス形式の棚は、横板材を上下方向に可変させることはできたが、縦板材を左右方向に可変させることができないものであり、また、壁に固定するものではなかった。
【特許文献１】特開２００１−２７５８０６号公報
【発明の開示】
【発明が解決しようとする課題】
【０００４】
本願発明は、上記背景技術に鑑みて発明されたものであり、その課題は、収納ボックス形式で縦板材を左右方向に可変することができ、更に、横板材も上下方向に可変することができると共に、壁に固定することができる棚を提供することである。
【課題を解決するための手段】
【０００５】
上記課題を解決するために、本願発明は、縦板材と、横板材と、を格子状に組み合わせて設ける棚において、前記縦板材は正面から所定の間隔で切り込んだ縦板材切込み部を有し、該縦板材切込み部に前記横板材を差し込んで固定したものである。
【０００６】
また、前記縦板材を壁に固定するために略Ｕ字状の長尺物である縦板材固定具を有することが好ましい。
【０００７】
また、縦板材補強部材を有し、該縦板材補強部材は、前記横板材が差し込まれていない前記縦板材切込み部に嵌め込むことが好ましい。
【０００８】
また、前記横板材は背面側から所定の間隔で切り込んだ横板材切込み部を有し、該横板材切込み部は、前記縦板材切込み部と嵌合させることが好ましい。
【発明の効果】
【０００９】
本願発明の棚において、縦板材及び横板材に所定の間隔で縦板材切込み部及び横板材切込み部を設け、前記縦板材切込み部に前記横板材切込み部を嵌合させるように前記横板材を前記縦板材に差し込むので、縦板材を左右方向に可変することができる。更に、横板材も上下方向に可変することができ、自由なレイアウトができる。
【００１０】
また、略Ｕ字状の長尺物である縦板材固定具を壁に固定することにより、前記縦板材を該縦板材固定具に固定することにより、棚を壁固定できる構造にすることができる。更に、前記縦板材固定具で前記縦板材を壁に固定するので、安定して使用することができる。
【００１１】
また、縦板材補強部材を前記横板材が差し込まれていない前記縦板材切込み部にはめ込むことにより、前記縦板材の垂直加重の強度が大きくなり、該縦板材切込み部の根元より折れが生じることが防止できる。
【００１２】
また、該横板材切込み部を前記縦板材切込み部と嵌合させるので、より安定して使用することができる。
【発明を実施するための最良の形態】
【００１３】
図１から図３は、請求項１から請求項４に対応した一実施形態の棚１である。この棚１は、縦板材２と、横板材３と、縦板材固定具４と、縦板材補強部材５と、横板材補強部材６と、を備えている。この棚１は、縦板材２と横板材３を格子状に組み合わせて壁７に取り付けられる。
【００１４】
縦板材２は、図１及び図２（ａ）に示すように、縦板材２の前面側から上下方向に所定の間隔で切り込みを入れた縦板材切込み部２ａを設けている。この縦板材切込み部２ａは、横板材３を所定の位置で差し込むために設けられたものである。
【００１５】
なお、縦板材切込み部２ａは、接続部２ｂを３０ｍｍ以内にして切り込むことが好ましい。
【００１６】
横板材３は、図１及び図２（ｂ）に示すように、横板材３の壁７側から左右方向に所定の間隔で切り込みを入れた横板材切込み部３ａを設けている。
【００１７】
なお、横板材切込み部３ａの切り込みは、３０ｍｍ以内が好ましい。
【００１８】
縦板材固定具４は、図１及び図３に示すように、断面略Ｕ字状の長尺物であり、縦板材２を壁７に固定するためのものである。本実施形態の縦板材固定具４は、平板状の略中央よりＵ字状（凹形状）に形成されている。すなわち、略中央より、突出部４ｂ、４ｂが延設され、突出部４ｂ、４ｂにより縦板材２を挟持する。
【００１９】
なお、突出部４ｂの長さは、３０ｍｍ以内が好ましい。
【００２０】
縦板材補強部材５は、図１及び図２（ｄ）に示すように、断面略Ｈ字状の金属製の長尺物であり、横板材３が差し込まれていない縦板材切込み部２ａに嵌め込むもので、縦板材２の垂直加重に対して強度を大きくするためのものである。
【００２１】
横板材補強部材６は、図１及び図２（ｅ）に示すように、断面略Ｌ字状の物であり、横板材３が壁７に固定するためのもので、横板材３の垂直加重に対して強度を大きくすると共に、横板材３が前方に移動するのを防止するためのものである。
【００２２】
次に、この棚１の組み立て手順を図１に基づいて説明する。
【００２３】
図１の場合は、２枚の縦板材２と、２枚の横板材３と、３個の縦板材固定具４、６個の縦板材補強部材５を用いて構成されている。そして、縦板材２は４箇所の縦板材切込み部２ａが設けられている。また、横板材３は、３箇所の横板材切込み部３ａが設けられている。
【００２４】
まず、縦板材２を壁７に固定したい箇所に縦板材固定具４を所定の間隔で固定する。縦板材固定具４を壁７に固定する場合は、図３に示すように、固定部４ａに、例えば、ネジにより固定すればよい。そして、縦板材２を縦板材固定具４の突出部４ｂに嵌めこむ。この場合、図示はしないが、突出部４ｂからネジ等の止め具で固定すれば、安定して壁７に固定することができる。次に、横板材３を縦板材切込み部２ａと横板材切込み部３ａとを勘合するように差し込む。そして、横板材３が差し込まれていない縦板材切込み部２ａに縦板材補強部材５を嵌めこむことにより棚１を組み立てることができる。
【００２５】
次に、縦板材２を移動させたい場合（図１の場合）、縦板材２が嵌めこまれていない縦板材固定具４（真ん中に位置する縦板材固定具４）に縦板材２を移動させる。そして、次に、横板材３を縦板材切込み部２ａと横板材切込み部３ａとを勘合するように差し込むことにより縦板材２を移動させることができる。
【００２６】
また、縦板材２は、縦板材固定具４を壁７より取り外すことにより、縦板材固定具４を取り付けたい箇所に配置することにより、棚１を任意の場所に移動させることができる。
【００２７】
このように構成された棚１は、横板材３を移動させたい場合は、横板材３を移動させたい箇所の縦板材補強部材５を取り外し、その箇所に、横板材３を差し込めばよい。また、縦板材２を移動させたい場合は、縦板材固定具４から縦板材２を取り外すことにより、縦板材２を左右に移動させることができる。
【００２８】
従って、この棚１は、縦板材２及び横板材３に縦板材切込み部２ａ及び横板材切込み部３ａを設けているので、縦板材２を左右方向に可変することができ、更に、横板材３も上下方向に可変することができ、自由なレイアウトができる。
【００２９】
また、略Ｕ字状の長尺物である縦板材固定具４を壁に固定することにより、縦板材２を縦板材固定具４に固定でき、棚１を壁固定できる構造にすることができる。更に、縦板材固定具４で縦板材２を壁７に固定するので、安定して使用することができる。
【００３０】
また、縦板材補強部材５を横板材３が差し込まれていない縦板材切込み部２ａにはめ込むことにより、縦板材２の垂直加重の強度が大きくなり、縦板材２の接続部２ｂの折れが生じるのを防止することができる。
【００３１】
また、横板材切込み部３ａを縦板材切込み部２ａと嵌合させるので、より安定して使用することができる。
【００３２】
なお、複数の縦板材固定具４を配置し、複数の縦板材２と、縦板材固定具４対応した横板材切込み部３ａを有する横板材３と、を用いて棚１を組み立てると、より自由が大きくなるレイアウトができる。
【００３３】
なお、横板材切込み部３ａは、安定して縦板材２に取り付けることができれば、特に必要はなく、設けなくてもよい。
【００３４】
なお、縦板材２を縦板材固定具４に固定した場合、縦板材２の接続部２ｂとの前面を縦板材固定具４の突出部４ｂの前面とを同等にすると共に、横板材３の横板材切込み部３ａを接続部２ｂ及び突出部４ｂに対応した切り込みにすれば棚１の見栄えが良くなる。
【００３５】
なお、横板材切込み部３ａの切り込みも大きさを接続部２ｂ及び突出部４ｂに対応させれば棚１の見栄えが良くなる。
【００３６】
なお、縦板材補強部材５は、垂直加重に対して強度を大きくするものであり、強度が取れれば、縦板材補強部材５は必要なく、縦板材補強部材５を使用するかどうかは、縦板材２の強度により適宜決めればよい。また、縦板材補強部材５は、金属製であるが、強度が取れれば、金属性である必要なく、縦板材補強部材５に金属を使用するかどうかは、縦板材２の強度により適宜決めればよい。
【００３７】
なお、使用していない全ての縦板材切込み部２ａに縦板材補強部材５をはめ込めば、縦板材２の強度がより強くなると共に、棚１の見栄えが良くなる。
【００３８】
なお、横板材補強部材６は、横板材３の垂直加重に対して強度を大きくするものであり、強度が取れれば、横板材補強部材６は必要なく、横板材補強部材６を使用するかどうかは、縦板材２及び横板材３の強度により適宜決めればよい。また、横板材補強部材６を金属性のものを使用すると横板材３の垂直加重に対してより強度を大きくすることができる。横板材補強部材６を金属性にするかどうかは、縦板材２及び横板材３の強度により適宜決めればよい。
【図面の簡単な説明】
【００３９】
【図１】本発明の一実施形態である棚の斜視図である。
【図２】（ａ）同上の縦板材の斜視図、（ｂ）は同上の横板材の斜視図、（ｃ）は同上の縦板材固定具の斜視図、（ｄ）は同上の補強部材の斜視図、（ｅ）は同上の横板材固定具の斜視図である。
【図３】同上の縦板材固定具を壁に固定する場合の断面図である。
【図４】特開２００１−２７５８０６号公報に記載された棚の斜視図である。
【符号の説明】
【００４０】
１      棚
２      縦板材
２ａ    縦板材切込み部
３      横板材
３ａ    横板材切込み部
４      縦板材固定具
５      縦板材補強部材
【図１】
2005334005.tif 000003
【図２】
2005334005.tif 000004
【図３】
2005334005.tif 000005
【図４】
2005334005.tif 000006